(57)【要約】 【課題】車輌に適合しない規定油種とは異なる油種の燃料を補給してしまう誤油種給油を防止する。【解決手段】給油装置１０を用いて給油作業を開始する前に顧客自らが給油装置１０とデータ接続された給油端末機３０を操作して給油作業条件を入力する際に、給油作業条件として、給油対象車輌に補給する燃料の油種に加え、給油対象車輌の車種種別も顧客に選定させるようにして、その組み合わせが、予め定められている選定可能な車輌種別毎の適合油種又は不適合油種の一覧中における何れかの組み合わせに該当するか否かを照合することにより、その選定油種が不適合油種に該当する場合には報知する。【選択図】図１
2010058793.tif 000002
【特許請求の範囲】
【請求項１】
給油所内で給油装置と通信接続され、該給油装置を用いた給油作業の給油作業条件を設定する給油端末機を備えた給油システムであって、
前記給油端末機は、
給油対象車輌の車輌種別を選定する車輌種別選定手段と、
前記給油対象車輌に補給する燃料油種を選定する油種選定手段と、
給油作業に関しての作業案内やメッセージを表示する表示手段と、
前記車輌種別選定手段によって選定可能な車輌種別毎の適合油種又は不適合油種の一覧が予め記憶されている記憶手段と、
前記車輌種別選定手段によって選定された車輌種別と前記油種選定手段によって選定された燃料油種との組み合わせが、前記記憶手段に記憶されている車輌種別毎の適合油種又は不適合油種の一覧中における何れかの組み合わせに該当するか否かを照合する照合手段と、
該照合手段による照合結果に基づいて、前記車輌種別選定手段によって選定された車輌種別と前記油種選定手段によって選定された燃料油種との組み合わせが不適合油種の組み合わせに該当する場合は、前記油種選定手段によって選定された燃料油種についての確認メッセージを前記表示手段に表示し、適合油種の組み合わせに該当する場合は、前記油種選定手段によって選定された燃料油種を、給油作業条件として前記給油装置に供給する設定手段と
を備えていることを特徴とする給油システム。
【請求項２】
給油所内で、給油対象車輌に対する燃料油液の補給を行う給油装置及び該給油装置を用いた給油作業の給油作業条件を設定する給油端末機と通信接続され、給油作業に伴う給油装置の稼動を管理する給油管理機を備えた給油システムであって、
前記給油管理機は、
前記給油装置を用いた給油作業に当たり、前記給油端末機により前記給油装置に対する給油作業条件として設定された給油対象車輌の車輌種別及び給油対象車輌に補給する燃料油種を取得する情報取得手段と、
前記給油装置の稼動状況を報知する表示手段と、
前記情報取得手段によって取得可能な給油対象車輌の車輌種別毎の適合油種又は不適合油種の一覧が予め記憶されている記憶手段と、
前記情報取得手段によって取得された給油作業条件の車輌種別及び燃料油種の組み合わせが、前記記憶手段に記憶されている車輌種別毎の適合油種又は不適合油種の一覧中における何れかの組み合わせに該当するか否かを照合する照合手段と、
該照合手段による照合結果に基づいて、給油作業条件の車輌種別及び燃料油種の組み合わせが不適合油種の組み合わせに該当する場合は、前記表示手段にメッセージを表示する確認手段と
を備えていることを特徴とする給油システム。
【請求項３】
給油装置を用いて燃料を補給する給油対象車輌の車輌種別を選定する車輌種別選定手段と、
前記給油対象車輌に補給する燃料油種を選定する油種選定手段と、
給油作業に関しての作業案内やメッセージを表示する第１の表示手段と、
前記車輌種別選定手段によって選定可能な車輌種別毎の適合油種又は不適合油種の一覧が予め記憶されている第１の記憶手段と、
前記車輌種別選定手段によって選定された車輌種別と前記油種選定手段によって選定された燃料油種との組み合わせが、前記第１の記憶手段に記憶されている車輌種別毎の適合油種又は不適合油種の一覧中における何れかの組み合わせに該当するか否かを照合する第１の照合手段と、
該第１の照合手段による照合結果に基づいて、前記車輌種別選定手段によって選定された車輌種別と前記油種選定手段によって選定された燃料油種との組み合わせが不適合油種の組み合わせに該当する場合は、前記油種選定手段によって選定された燃料油種についての確認メッセージを前記第１の表示手段に表示し、適合油種の組み合わせに該当する場合は、前記車輌種別選定手段によって選定された車輌種別と前記油種選定手段によって選定された燃料油種とを、給油作業条件として前記給油装置に供給する設定手段と、
前記給油装置を用いた給油作業に当たり、該設定手段から前記給油装置に給油作業条件として供給される給油対象車輌の車輌種別及び給油対象車輌の燃料油種を取得する給油作業条件取得手段と、
前記給油装置の稼動状況を報知する第２の表示手段と、
前記給油作業条件取得手段によって取得可能な給油対象車輌の車輌種別毎の適合油種又は不適合油種の一覧が予め記憶されている第２の記憶手段と、
前記給油作業条件取得手段によって取得された給油作業条件の給油対象車輌の車輌種別及び給油対象車輌の燃料油種の組み合わせが、前記第２の記憶手段に記憶されている車輌種別毎の適合油種又は不適合油種の一覧中における何れかの組み合わせに該当するか否かを照合する第２の照合手段と、
該第２の照合手段による照合結果に基づいて、前記給油作業条件の給油対象車輌の車輌種別及び給油対象車輌の燃料油種の組み合わせが、不適合油種の組み合わせに該当する場合は、前記第２の表示手段にメッセージを表示する確認手段と
を備えていることを特徴とする給油システム。
【発明の詳細な説明】
【技術分野】
【０００１】
本発明は、予め規定された規定油種と異なる油種の燃料を給油対象車輌に給油してしまうことを防止した給油システムに係り、特に給油対象車輌に対する給油作業を顧客自らが行うセルサービス方式のガソリンスタンドに適用して好適な給油システムに関する。
【背景技術】
【０００２】
従来、セルフサービス方式給油所、いわゆるセルフガソリンスタンドにおいては、顧客自らが給油装置を用いて給油対象車輌に対する給油作業を開始する。顧客は、給油作業の開始に際して、給油装置とデータ通信接続されている給油端末機を自ら操作して、補給する燃料の油種選定を含む給油作業条件の入力作業を行う。
【０００３】
ところで、セルフサービス方式給油所の顧客の中には、セルフサービス方式給油所を初めて利用する顧客や、車輌に補給すべき規定油種を覚えていない顧客もおり、そのような顧客が予め規定された規定油種とは異なる不適合油種の燃料を給油対象車輌に補給してしまうことがあった。また、セルフサービス方式給油所に慣れた顧客であっても、例えば、商業車と乗用車といった規定油種が異なる複数の車輌を使用する顧客の場合は、給油対象車輌の車種を混同して補給すべき油種を間違えて選定し、油種が異なる不適合油種の燃料を補給してしまうこともあった。特に、このような誤油種給油でガソリン車に誤って軽油を補給してしまい、気付かず発進させてしまうと、エンジンが走行中に突然停止したり、エンジン自体が損傷を受けるという危険や損害を招くことになる。
【０００４】
また、今後、環境問題対策として環境負荷の少ない燃料が新たに導入されるようになると、車輌に補給すべき燃料の種類がさらに増えることが予想され、セルフサービス方式給油所において、顧客はさらに多くの油種の中から給油対象車輌に適合する油種を誤りなく選定し、給油作業を行わなければならない。
【０００５】
そこで、このような誤油種給油を防止するための一例として、特開２００６−２２４９６８号公報では、給油対象車両と、給油装置を含む給油所の給油システムとの間をデータ通信接続可能に構成し、このデータ通信機能を利用して、給油対象車両それぞれが予め保持している自車に適合した規定油種の燃料の油種情報を、給油作業の際に給油所の給油システムとの間で共有する技術が提案されている。
【０００６】
【特許文献１】特開２００６−２２４９６８号公報
【発明の開示】
【発明が解決しようとする課題】
【０００７】
しかしながら、このような給油対象車両それぞれと給油所の給油システムとの間をデータ通信接続可能に構成し、給油対象車両それぞれが予め保持している油種情報を含む給油作業条件情報を給油所の給油システムとの間で共有する技術にあっては、車両側及び給油所の給油システム側の双方にデータ通信端末を備え、その通信仕様を給油車両それぞれと給油所それぞれの給油システムとの間で共通化しておく必要があり、車輌側及び給油所側それぞれでハード面，システム面に関する大掛かり改良が必要であるため、実際の適用はなかなか容易ではない。
【０００８】
さらに、顧客は補給すべき規定油種を給油作業条件情報として発信するデータ通信端末を新たに車輌毎に備えなければならず、さらにその通信端末は特定のセルフサービス方式給油所だけではなく別のセルフサービス方式給油所においても適応できるようにしておかなければならない等、顧客側の経済的な負担も必要とする。
【０００９】
そこで、本発明は、セルフサービス方式給油所側における既存の給油システムの簡単な改良のみで、車輌に適合しない規定油種とは異なる油種の燃料を補給してしまう誤油種給油を防止できるように構成した給油システムを提供することを目的とする。
【課題を解決するための手段】
【００１０】
本発明は、上述した課題を解決するために、給油装置を用いて給油作業を開始する前に顧客自らが給油装置とデータ通信可能に接続された給油端末機を操作して給油作業条件を入力する際に、給油作業条件として、給油対象車輌に補給する燃料の油種に加え、給油対象車輌の車種種別も併せて顧客に選定させるようにし、この選定された車種種別と油種との組み合わせが、予め定められている選定可能な車輌種別毎の適合油種又は不適合油種の一覧中における何れかの組み合わせに該当するか否かを照合することにより、その選定油種が不適合油種に該当する場合には、その選定油種を顧客に再確認させるようにしたことを特徴とする。
【発明の効果】
【００１１】
本発明によれば、給油端末機で選定された給油対象車輌の車輌種別と油種との組み合わせを検証し、その選定された油種が誤りで不適合油種である可能性が高い場合には、自動的に注意及び確認を顧客又はセルフサービス方式給油所の給油所管理者に促すことができるので、誤った油種の選定による誤油種給油を未然に防止することができる。
【発明を実施するための最良の形態】
【００１２】
本発明の一実施の形態に係る給油システムについて、図面に基づいて説明する。
図１は、本発明の一実施の形態に係る給油システムの構成図である。
【００１３】
本実施の形態の給油システム１は、セルフサービス方式給油所内の各給油エリア２に対応させて設置された給油装置１０と、給油装置１０の装置筐体１１に一体的に、又は給油装置１０の近傍に別体的に給油装置１０に対応させて設置される給油端末機３０と、これら給油装置１０及び給油端末機３０と給油所内通信ネットワーク３を介してデータ接続され、給油所内の例えば給油所事務所４に設けられた給油管理機５０とを含んで構成されている。なお、図１に示した給油システム１では、給油所内の１つの給油エリア２のみを簡略化して記載してあり、実際には、給油装置１０は給油所内に設けられた複数の給油エリア２それぞれに対応して複数設けられている。また、給油端末機３０は、給油装置１０の装置筐体１１に一体的に設けられた構成になっている。
【００１４】
給油装置１０は、給油エリア２に停車した給油対象車輌の油種にかかわらず燃料を補給するため、例えばガソリンＧ，ハイオクガソリンＰ，軽油Ｄといった複数油種の給油系統を備えた構成になっている。各給油系統Ｇ，Ｐ，Ｄは、先端の給油ノズル１２が備えられた給油ホース１３に油液を供給するポンプ等からなる送液手段１５と、給油ホース１３と送液手段１５の吐出側との間の送液路に設けられ、給油作業の際に給油ノズル１２から車両の燃料タンクに補給された油量を計測する流量計等からなる計量手段１４とを、装置筐体１１に備えた構成になっている。送液手段１５の吸込側は、それぞれ対応する油種Ｇ，Ｐ，Ｄの地下タンクに配管を介して連通されている。
【００１５】
給油装置１０の装置筐体１１表面には、給油ノズル１２を非使用時に収納しておくノズル掛け１６を備えられ、ノズル掛け１６には給油ノズル１２の掛け外しを検出するノズルスイッチ１７が設けられている。
【００１６】
このような３つの給油系統Ｇ，Ｐ，Ｄを備えて構成された本実施の形態の給油装置１０の各部は、装置筐体１１内に設けられた給油装置制御装置１８により作動制御される。給油装置制御装置１８は、これら３つの給油系統Ｇ，Ｐ，Ｄの中、給油作業開始に際して顧客が給油端末機３０により給油作業条件として選定した、給油系統Ｇ，Ｐ，Ｄの中の何れか１つの給油系統について、その給油を実施するように、給油装置１０の対応する各部を作動制御する構成になっている。また、給油装置制御装置１８は、この選定された１つの給油系統を用いた給油作業の実施によって、対応する計量手段１４から出力される流量計測出力を基づき、給油量等の給油情報を装置筐体１１表面に設けられている給油表示器１９に表示制御する。その上で、給油作業終了時には、給油装置制御装置１８は、その実施した給油作業の給油量等を含む給油情報を、伝票発行のために給油端末機３０にデータ伝送する。
【００１７】
給油端末機３０は、図示の例では、タッチパネル入力式の画面操作設定器３１，クレジットカード等のカード情報読取機３２，現金紙幣を入金するための現金入金機３３，給油作業終了時に伝票を発行する伝票発行機３４，案内音声や警報音声を出力する音声報知器３５，顧客が給油所事務所４の給油所管理者と給油エリア２で会話するためのインターホン３６，給油エリア２に給油対象車輌が停止したのを検知する車輌検知センサ３７，及びこれら端末機各部を作動制御する端末機制御装置３８を備えた構成になっている。図１に示した給油システム１では、給油装置１０と同じく、給油所内に設けられた複数の給油エリア２それぞれに対応して複数設けられており、すなわち各給油装置１０に対応して設けられている。
【００１８】
端末機制御装置３８は、車輌検知センサ３７が給油エリア２に給油対象車輌が停止したのを検知すると、その検知出力を受けて、給油作業条件の入力操作を含む給油作業のための操作案内制御を行う。具体的には、画面操作設定器３１を顧客が行う給油作業の進行に合わせて作動制御し、給油作業条件の入力作業の際には、後述する図２から図１０に示すようにして操作表示画面４０に、例えば「普通車」キー，「軽自動車」キー，「バイク」キー，「トラック等」キーからなる給油対象車輌の車種タイプ選択キーを表示させ、その操作入力を取得したり、同様にして、操作表示画面４０に、例えば「ガソリン」キー，「ハイオクガソリン」キー，「軽油」キーからなる油種選択キーを表示させ、その操作入力を取得したり、精算方法の選択作業の際には、「現金（現金払い）」キー，「クレジット（クレジット払い）」キー，「プリカ（プリペイドカード）」キーからなる精算方法選択キーを表示させ、その操作入力を取得したりする等、操作案内メッセージを画面操作設定器３１に表示制御するとともに、この操作案内の進行に合わせて進行状況に対応した操作キーをＧＵＩ（Graphical User Interface）として画面操作設定器３１にＯＳＤ（On Screen Display）表示し、その操作に基づく設定内容を今回給油作業における給油作業条件として設定する構成になっている。そして、端末機制御装置３８は、この設定された給油作業条件を、給油装置１０の各部の作動制御のために給油装置制御装置１８にデータ伝送するとともに、給油作業開始及びその給油作業条件の設定内容の確認のために、この設定された給油作業条件を含む給油作業開始情報を、給油所内通信ネットワーク３を介して給油所事務所４の給油管理機５０にデータ伝送する構成になっている。
【００１９】
また、端末機制御装置３８は、給油作業条件の入力作業時にカード情報読取機３２によって読み取ったカード情報や現金入金機３３に入金された現金入金情報を基に、その後、給油装置１０の給油装置制御装置１８から給油情報がデータ伝送されてきたとき、この給油情報に基づいて、今回給油作業における伝票発行処理を行い、伝票発行機３４から顧客に対する給油伝票（精算伝票）を発行させる。また、端末機制御装置３８は、この伝票発行内容を含む給油作業終了情報を、給油所内通信ネットワーク３を介して、給油所事務所４の給油管理機５０、又は図示せぬ販売時点情報管理機（ＰＯＳ）にデータ伝送する。
【００２０】
なお、給油装置１０の給油制御装置１８及び給油端末機３０の端末機制御装置３８は、ＣＰＵ，ＲＡＭ，ＲＯＭ，ＯＳＤ制御回路，接続機器に対する入／出力インタフェース，及び他の装置間との通信のための通信インタフェースを備えたマイクロコンピュータによってそれぞれ構成されている。
【００２１】
給油管理機５０は、セルフサービス方式給油所の給油所管理者によって操作及び監視可能なように、例えば給油所内の給油所事務所４に設置されている。給油管理機５０は、給油エリア２それぞれの各給油装置１０の稼動／待機状態（すなわち，給油作業中／給油作業待機停止状態）をＯＳＤ表示することが可能な画面表示器５２と、キーボードやポインティングデバイス等といった入力操作機器５３とを備えた、通信機能を有するコンピュータ装置５１によって構成されている。さらに、図示の例では、給油端末機３０のインターホン３６と通信接続可能なインターホン５４も有する構成になっている。給油管理機５０は、給油所内通信ネットワーク３を介して、各給油エリア２の給油装置１０，給油端末機３０，給油所事務所の図示せぬ販売時点情報管理機と、相互にデータ通信可能になっている。
【００２２】
給油管理機５０は、本実施の形態では、各給油エリア２の給油端末機３０から送信されてくる給油作業開始情報及び給油作業終了情報に基づいて、各給油エリア２の給油装置１０の稼動／待機状態を管理する。給油管理機５０は、この各給油エリア２の給油装置１０の稼動／待機状態を基に、給油所内の給油エリア２毎の給油装置１０の稼動／待機状態を示す監視画面６０を生成して、その画面表示器５２上に表示する。
【００２３】
給油エリア２毎の給油装置１０の稼動／待機状態を示す監視画面６０は、操作入力装置５３により操作可能なＧＵＩを備えたＯＳＤ画面で形成され、給油エリア２，…毎の給油装置１０の稼動条件や稼動状況を表示する監視ウィンドウ６１，…と、「緊急停止」，「キャンセル」，「停止」，「許可」といったタスクキー６２，…とを含む構成になっている。また、各監視ウィンドウ６１には、給油装置１０の「作業中（使用中）」又は「待機中（未使用）」を報知する作業状態表示欄６３が設けられている。
【００２４】
本実施の形態では、給油管理機５０は、給油所管理者が入力操作機器５３を用いて、監視画面６０上で監視ウィンドウ６１により給油エリア２を指定して、「許可」又は「緊急停止」のタスクキー６１を操作した場合には、該当する給油エリア２の給油装置１０の給油装置制御装置１８に対して給油所内通信ネットワーク３を介して駆動許可命令又は駆動禁止命令を送信して、給油装置１０の稼動／停止を遠隔的に制御できる構成になっている。
【００２５】
次に、このように構成された本実施の形態の給油システム１を用いた給油作業について、給油端末機３０，給油管理機５０，給油装置１０に分けて、図面に基づき説明する。
【００２６】
＜給油端末機３０＞
図２は、本実施の形態の給油システムに係る給油端末機の給油作業の進行に伴う制御処理を示したフローチャートである。
【００２７】
給油対象車輌が給油エリア２に停車すると、車輌検知センサ３７から車輌検知信号が端末機制御装置３８に供給され、端末機制御装置３８は、画面操作設定器３１の操作表示画面４０に、図示せぬ待機状態画面に代えて給油作業開始待画面４１を表示する（ステップＳ３０１）。
【００２８】
図３は、給油作業開始待画面の一実施例を示したものである。
給油作業開始待画面４１には、該当する給油エリア２で給油作業を開始するための「開始」キー４１１がＧＵＩとして表示される。顧客が「開始」キー４１１に触れたのが操作表示画面４０上で検知されると（ステップＳ３０２）、端末機制御装置３８は、給油作業条件設定処理の実行開始し、操作表示画面４０に車種選択画面４２を表示する（ステップＳ３０３）。
【００２９】
図４は、車種選択画面の一実施例を示したものである。
車種選択画面４２には、給油対象車輌の車輌種別を選定するために、例えば「普通車」キー４２１，「軽自動車」キー４２２，「バイク」キー４２３，「トラック等」キー４２４からなる車種タイプ選択キー４２０がＧＵＩとして表示される。顧客は、これらのキー４２１〜４２４の中から自車すなわち給油対象車輌の車輌種別に該当する１つの車種タイプ選択キー４２０を選択操作する。端末機制御装置３８は、顧客が触れた車種タイプ選択キー４２０を操作表示画面４０上で検知すると（ステップＳ３０４）、その対応する車輌種別を給油作業条件の車輌種別として設定し、操作表示画面４０に油種選択画面４３を表示する（ステップＳ３０５）。
【００３０】
図５は、油種選択画面の一実施例を示したものである。
油種選択画面４３には、給油対象車輌に補給する燃料の種別を選択するために、例えば「レギュラー」キー４３１，「ハイオク」キー４３２，「軽油」キー４３３からなる油種選択キー４３０がＧＵＩとして表示される。顧客は、これらのキー４３１〜４３３の中から給油を行う自車の燃料油種に該当する１つの油種選択キー４３０を選択操作する。端末機制御装置３８は、顧客が触れた油種選択キー４３０を操作表示画面４０上で検知すると（ステップＳ３０６）、その対応する油種を給油作業条件の構成データの１つの選定油種として設定し、顧客が選定した油種が誤りである可能性を判断するための選定油種確認処理を行う（ステップＳ３０７）。
【００３１】
端末機制御装置３８は、この選定油種確認処理を実行するに当たり、その内部のＲＯＭ等に、車種選択画面４２上で車種タイプ選択キー４２０による選択対象として表示される「普通車」，「軽自動車」，「バイク」，「トラック等」といった各車輌種別に対応させて、油種選定誤りの可能性が低い油種が適合油種が、予め車種別適合油種一覧３９として記憶されている。
【００３２】
図６は、端末機制御装置に内部記憶された車種別適合油種一覧の一実施例を示したものである。
【００３３】
図示の車種別適合油種一覧３９の場合、車種の「普通車」，「軽自動車」，「バイク」それぞれに対応させて油種の「レギュラー」及び「ハイオク」が、「トラック等」に対応させて油種の「軽油」が、油種選定誤りの可能性が低い（規定油種である可能性が高い）適合油種、すなわち給油許可油種として記憶されている。なお、図示の車種別適合油種一覧３９の場合、油種選定誤りの可能性が低い適合油種すなわち給油許可油種を各車輌種別に対応させて記憶している構成としたが、油種選定誤りの可能性が高い不適合油種（誤り油種）すなわち給油禁止油種を記憶している構成とすることも可能である。この場合、車種別適合油種一覧３９には、例えば、車種「普通車」，「軽自動車」，「バイク」にそれぞれに対応させて油種「軽油」が、車種「トラック等」に対応させて油種「レギュラー」及び「ハイオク」が、不適合油種すなわち給油禁止油種として記憶されている。
【００３４】
したがって、図２のステップＳ３０７に示した選定油種確認処理では、端末機制御装置３８は、車種別適合油種一覧３９として給油許可油種が記憶されている場合は、ステップＳ３０６で給油作業条件の選定油種として検出した油種別キー４３０の該当油種が、ステップＳ３０４で給油作業条件の車輌種別として検出した車輌種別キー４２０の該当車輌種別に対応した車種別適合油種一覧３９の適合油種（給油許可油種）と一致するか否かに基づいて、顧客による選定油種が給油対象車輌の規定油種に適合しているか否かを判別する。なお、車種別適合油種一覧３９として給油禁止油種が記憶されている場合は、ステップＳ３０６で給油作業条件の車輌種別として検出した車輌種別キー４２０に該当する車種別適合油種一覧３９の不適合油種（給油禁止油種）と一致するか否かに基づいて、顧客による選定油種が給油対象車輌の規定油種に適合していていないことを判別する。
【００３５】
この選定油種確認処理の結果（ステップＳ３０８）、顧客による選定油種が誤りである可能性が高い場合には、端末機制御装置３８は、画面操作設定器３１の操作表示画面４０に、選定油種確認注意画面４４を表示する（ステップＳ３０９）。
【００３６】
図７は、選定油種確認注意画面の一実施例を示したものである。図７（ａ）は、ステップＳ３０６で顧客が選択した選定油種が「軽油」であった場合の選定油種確認注意画面を、図７（ｂ）は、ステップＳ３０６で顧客が選択した選定油種が「レギュラー」又は「ハイオク」であった場合の選定油種確認注意画面をそれぞれ示したものである。
【００３７】
選定油種確認注意画面４４は、図７（ａ）に示した選定油種が「レギュラー」又は「ハイオク」の選定油種確認注意画面４４−１、図７（ｂ）に示した選定油種が「軽油」の選定油種確認注意画面４４−２の何れとも、その確認注意メッセージとともに、確認結果を入力するための確認キー４４０が、ＧＵＩとして操作表示画面４０上に表示される。この確認キー４４０としては、選定油種に誤りがないことの確認結果を入力するための「はい」キー４４１，及び選定油種に誤りがあったことを確認してステップＳ３０６で示す油種選択の設定をやり直すことを入力するための「戻り」キー４４２がＧＵＩとして表示される。顧客は、選定油種確認注意画面４４を確認し、「はい」キー４４１又は「戻り」キー４４２の何れかの確認キー４４０を操作する（ステップＳ３１０，Ｓ３１１）。
【００３８】
端末機制御装置３８は、顧客が「戻り」キー４４２に触れたのを操作表示画面４０上で検知すると（ステップＳ３１０）、顧客がステップＳ３０６で選択操作した油種が誤りであったとして、画面操作設定器３１の操作表示画面４０に、油種選択画面４３を再び表示し（ステップＳ３０５）、顧客に正しい燃料油種の選択をやり直しさせる（ステップＳ３０６）。なお、本実施例では、顧客が「戻り」キー４４２に触れた場合には、顧客に正しい燃料油種の選択からやり直しさせるように構成したが、画面操作設定器３１の操作表示画面４０に、車種選択画面４２を表示し（ステップＳ３０３）、顧客にステップＳ３０４で示した車輌種別の選択からやり直しさせる構成としてもよい。
【００３９】
一方、端末機制御装置３８は、顧客が「はい」キー４４１に触れたのを操作表示画面４０上で検知すると（ステップＳ３１０）、ステップＳ３０６で顧客が選択した選定油種に誤りがなかったことが確認されたとして、画面操作設定器３１の操作表示画面４０に、入金画面４５を表示する（ステップＳ３１２）。
【００４０】
図８は、入金画面の一実施例を示したものである。
入金画面４５は、図示の例では、ステップＳ３０４で選定した車輌種別の表示域４５１と、ステップＳ３０６で選定した選定油種及びこの選定油種に対応させて予め設定記憶されている油種単価＠の表示域４５２と、入金額の表示域４５３と、入金の完了を確認するための「確認」キー４５４とが、備えられて構成されている。
【００４１】
端末機制御装置３８は、例えば、給油対象車輌への実際の燃料の補給前に給油代金を前払いしておく前払い方式の精算方式で稼動している場合は、入金画面４５の表示当初は、入金画面４５上に、現金入金機３３への前払い給油代金の入金案内メッセージ（図示省略）を表示する。そして、顧客が現金入金機３３に前払い給油代金を入金すると、端末機制御装置３８は、現金入金機３３から供給される入金データを読み込み、現在の入金額を入金額の表示域４５３に表示する。なお、図８は、前払い給油代金として、顧客が１０００円の入金を完了している状態を示している。そして顧客は、現金入金機３３を用いて必要な前払い給油代金の入金が完了し、今までの給油作業条件入力作業で設定された選定油種等の給油作業条件を入金画面で確認したならば、「確認」キー４５４を操作する（ステップＳ３１３）。なお、端末機制御装置３８は、例えば、給油代金を給油対象車輌への燃料の実際の補給後に支払う後払い方式の精算方式で稼動している場合は、図８に示した入金画面４５は、入金案内メッセージや入金額の表示域４５３をその画面上に備えず、給油作業条件の設定確認画面としてだけ機能することになる。
【００４２】
端末機制御装置３８は、顧客が「確認」キー４５４に触れたのを操作表示画面４０上で検知すると（ステップＳ３１３）、今回の給油作業条件作業で設定記憶された車輌種別，選定油種，入金額といった給油作業条件を含む給油作業開始情報を、給油装置制御装置１８に供給するとともに、給油所内通信ネットワーク３を介して給油所事務所４の給油管理機５０にデータ伝送する。そして、端末機制御装置３８は、画面操作設定器３１の操作表示画面４０に、給油中画面４６を表示する（ステップＳ３１４）。
【００４３】
図９は、給油中画面の一実施例を示したものである。
図示の例では、給油中画面４６は、入金画面４５の表示内容から入金案内メッセージや「確認」キー４５４に代えて、給油作業条件の入力作業が終了し、給油装置を用いた燃料補給作業（いわゆる、給油作業）に作業移行したことを示す、給油中メッセージが表示されるようになっている。
【００４４】
その後、給油端末機３０は、顧客による給油装置を用いた給油作業が終了し、給油装置１０の給油装置制御装置１８から端末機制御装置３８に給油量を含む給油情報がデータ伝送されてきたときには（ステップＳ３２０）、この給油情報に基づいて、今回給油作業における伝票発行処理を行い、伝票発行機３４から顧客に対する給油伝票（精算伝票）を発行させるとともに、画面操作設定器３１の操作表示画面４０には、給油終了画面４７を表示する（ステップＳ３２１）。
【００４５】
図１０は、給油終了画面の一実施例を示したものである。
そして、端末機制御装置３８は、この発行伝票内容を含む給油作業終了情報を、給油所内通信ネットワーク３を介して、給油所事務所４の給油管理機５０や図示せぬ販売時点情報管理機に伝送するとともに、給油終了画面４７の一定時間表示経過後、又は車輌検知センサ３７からの車輌検知信号の消勢時には、画面操作設定器３１の操作表示画面４０を、給油終了画面４７から図示せぬ待機状態画面にするようになっている。
【００４６】
＜給油装置１０＞
給油装置１０の給油装置制御装置１８は、給油系統Ｇ，Ｐ，Ｄそれぞれの給油ノズル１２についてノズル掛け１６に対する掛け／外し状態（収納／非収納状態）をノズルスイッチ１７の出力に基づいて監視しているとともに、顧客による給油管理機５０を用いた給油作業条件入力作業の完了に基づき端末機制御装置３８で図２のステップＳ３１４で行われる給油作業開始情報の受信を監視している。
【００４７】
また、給油装置制御装置１８は、給油系統Ｇ，Ｐ，Ｄのノズルスイッチ１７の出力を監視し、給油ノズル１２がノズル掛け１６から取り出されたのを検出すると、取り出された給油ノズル１２の給油系統情報すなわち油種情報を付したノズル操作検出情報を、給油所内通信ネットワーク３を介して給油管理機５０に送信する一方、取り出された給油ノズル１２がノズル掛け１６に掛け戻されたのを検出すると、掛け戻された給油ノズル１２の給油系統情報すなわち油種情報を付したノズル収納検出情報を、給油所内通信ネットワーク３を介して給油管理機５０に送信する構成になっている。
【００４８】
給油装置制御装置１８は、給油端末機３０から車輌種別，選定油種，入金額といった給油作業条件を含む給油作業開始情報が供給されると、待機状態で停止状態に送液手段１５を保持している給油系統Ｇ，Ｐ，Ｄの中、受信した給油作業開始情報に含まれる給油作業条件の選定油種に該当する給油系統についてのみ、給油作業開始待ち状態に状態変更（設定変更）する。例えば、給油作業開始情報に含まれる給油作業条件の選定油種が「レギュラー」である場合、給油系統Ｇを待機状態から給油作業開始待ち状態に状態変更する。
【００４９】
この給油作業開始待ち状態において、給油端末機３０を用いて給油作業条件の入力を完了した顧客が、給油装置１０の給油系統Ｇに対応する給油ノズル１２をノズル掛け１６から取り出せば、その際のノズルスイッチ１７からのノズル外れ検知信号の入力により、給油装置制御装置１８は、給油系統Ｇに対応する給油ノズル１２のノズル操作検出情報を、給油所内通信ネットワーク３を介して給油管理機５０に送信する。
【００５０】
そして、この給油系統Ｇに対応する給油ノズル１２のノズル操作検出情報の給油管理機５０への送信に応答して、給油管理機５０から給油所内通信ネットワーク３を介して給油装置１０に駆動許可命令が送信されてきて給油作業許可された場合には、給油装置制御装置１８は、給油ノズル１２がノズル掛け１６から取り出された、給油作業開始待ち状態になっている給油系統Ｇに対応する送液手段１５を起動し、給油中状態に状態変更する。
【００５１】
なお、この給油作業開始待ち状態において、給油端末機３０を用いて給油作業条件の入力を完了した顧客が、給油装置１０の給油系統Ｇ以外のハイオクの給油系統Ｐや軽油の給油系統Ｄに係る給油ノズル１２をノズル掛け１６から取り出しても、給油系統Ｐ，Ｄは待機状態で給油作業開始待ち状態にはなっていないので、例え給油管理機５０から駆動許可命令が送信されてきても、その送液手段１５は給油装置制御装置１８によって起動されることはない。なお、その際も、給油装置制御装置１８は、取り出された給油系統Ｐ，Ｄの給油ノズル１２のノズル操作検出情報は、給油所内通信ネットワーク３を介して給油管理機５０に送信する。
【００５２】
したがって、顧客は、給油端末機３０によって予め入力した給油作業条件の選定油種（レギュラーガソリン）に対応する給油ノズル１２をノズル掛け１６から取り出し、その吐出パイプを給油対象車輌の給油口に挿入して操作レバーを開弁操作すれば、選定油種（レギュラーガソリン）に該当する給油系統（Ｇ）の送液手段１５の起動によって、選定油種の燃料油液（レギュラーガソリン）が給油ホース１３を介して給油ノズル１２に供給されるので、給油対象車輌のタンク内にこの燃料油液を補給することができる。その際、給油装置制御装置１８は、計量手段１４から出力される流量計測出力を基づき演算した給油量等の給油情報を、装置筐体１１表面に設けられている給油表示器１９に表示する。
【００５３】
そして、顧客は、給油表示器１９の表示を確認しながら所望量のレギュラーガソリン油液を給油対象車輌のタンク内に補給したならば、給油ノズル１２の操作レバーを閉弁操作し、給油ノズル１２をノズル掛け１６に掛け戻して収納する。
【００５４】
給油装置制御装置１８は、その際のノズルスイッチ１７からのノズル収納検知信号の入力により、選定油種に該当する給油系統Ｇに対応する送液手段１５の駆動を停止し、給油系統Ｇを待機状態に戻すとともに、顧客の今回給油作業による給油量等の給油情報を、図２のステップＳ３２１に示した伝票発行処理のために給油端末機３０にデータ伝送する。また、給油装置制御装置１８は、給油系統Ｇの給油ノズル１２のノズル収納検出情報を、給油所内通信ネットワーク３を介して給油管理機５０に送信する。
【００５５】
＜給油管理機５０＞
図１１は、本実施の形態の給油システムに係る給油管理機の給油作業の進行に伴う制御処理を示したフローチャートである。
【００５６】
給油管理機５０は、各給油エリア２の給油作業監視モードにおいて、何れかの給油エリア２の給油端末機３０から図２のステップＳ３１４で給油所内通信ネットワーク３を介して送信される車輌種別，選定油種，入金額といった給油作業条件を含む給油作業開始情報の受信を監視している（ステップＳ５０１）。
【００５７】
給油管理機５０は、ある給油エリア２の給油端末機３０から給油作業条件を含む給油作業開始情報を受信すると、その給油作業開始情報に含まれる給油作業条件の車輌種別，選定油種等を、画面表示器５２上の監視画面６０の対応する給油エリア２の監視ウィンドウ６１上に給油作業条件確認ウィンドウ６４を表示する（ステップＳ５０２）。
【００５８】
図１２は、給油管理機の画面表示器上に表示される監視画面の一実施例を示したものである。
【００５９】
図１２において、本実施例の場合、該当する給油エリア２（例えば、エリア番号“２”の給油エリア２）の給油作業条件確認ウィンドウ６４は、給油作業進行状態を示す進行状態表示欄６４１，受信した給油作業開始情報に含まれる給油作業条件の車輌種別を表示する車輌種別表示欄６４２，同じく給油作業条件の選定油種を表示する選定油種表示欄６４３，該当給油エリア２の給油装置１０において顧客によりノズル掛け１６から取り出された給油系統の給油ノズル１２の油種を表示する操作給油ノズル表示欄６４４，満タン給油又はプリセット給油といった給油作業種別を表示する給油作業種別表示欄６４５を備えた構成になっている。
【００６０】
図１２に示した給油作業条件確認ウィンドウ６４は、図２に示した給油作業条件設定処理において、顧客が、図４に示した車種選択画面４２で「軽自動車」キー４２２を操作し、図５に示した油種選択画面４３で「軽油」キー４３３を操作した後、さらに図７に選定油種確認注意画面４４で選定油種が適合油種に誤りないことの確認結果としての「はい」キー４４１を操作した状況で、給油端末機３０から給油所内通信ネットワーク３を介して送信されてきた給油作業開始情報を受信したときの、給油作業条件確認ウィンドウ６４を示したものである。
【００６１】
この場合、ポップアップされた給油作業条件確認ウィンドウ６４の進行状態表示欄６４１には、未だ実際の該当する給油装置１０を用いた給油作業が給油所管理者によって給油管理機５０から許可されていない状態を示す「給油待」が表示されている。同様にして、車輌種別表示欄６４２には、給油作業条件の選定された車輌種別の「軽自動車」が、選定油種表示欄６４３には、給油作業条件の選定油種の「軽油」が表示されている。また、給油ノズル表示欄６４４には、この場合、該当する給油装置１０から供給されるノズル操作検出情報又はノズル収納検出情報の受信に基づき、顧客によって給油系統Ｄの給油ノズル１２がノズル掛け１６から取り出されていることを示す「軽油」が表示されている。給油作業種別表示欄６１４には、例えば給油作業条件にプリセット給油情報が含まれていないときには満タン給油を示す「満タン」が表示されている。
【００６２】
図１１に戻り、給油管理機５０は、ステップＳ５０２に示すように該当する給油エリア２の監視ウィンドウ６１に給油作業条件確認ウィンドウ６４を表示すると、この給油エリア２の該当する給油装置１０の給油装置制御装置１８から給油所内通信ネットワーク３を介して送信されてくるノズル操作検出情報の受信を確認する（ステップＳ５０３）。なお、図１２に示した給油作業条件確認ウィンドウ６４の場合には、既に該当する給油装置１０の給油装置制御装置１８からの給油系統Ｄのノズル操作検出情報を受信しているため、給油作業条件確認ウィンドウ６４の操作中給油ノズル表示欄６４４は「軽油」が表示された状態になっている。
【００６３】
給油管理機５０は、該当する給油装置１０からノズル操作検出情報を受信すると、ノズル操作検出情報に含まれる給油系統種別すなわちノズル掛け１６から取り出した給油ノズル１２の油種とステップＳ５０１で受信した給油作業開始情報に給油作業条件して含まれた選定油種とを比較確認処理する（ステップＳ５０４）。この比較確認処理の結果（ステップＳ５０５）、両者が一致しているならば、給油管理機５０は、監視画面６０のタスクキー６２として該当する給油装置の起動を許可するための「許可」キー６２１を表示する（ステップＳ５０６）。
【００６４】
これに対して、両者が一致しない場合は、給油管理機５０は、操作した給油ノズル１２の油種が選定油種と異なる旨、監視画面６０の給油作業条件確認ウィンドウ６４内に注意表示して、給油所管理者に報知した後、顧客により取り出された選定油種とは異なる給油ノズル１２がノズル掛け１６に戻され、選定油種に該当する給油ノズル１２がノズル掛け１６から取り出されるのを確認するために、ステップＳ５０３に示したノズル操作検出情報又はノズル収納検出情報の受信確認状態に戻る。したがって、給油所管理者は、給油作業条件確認ウィンドウ６４内に表示される選定油種と操作給油ノズル１２の油種との相違の注意表示を確認し、例えばインターホン３６によってノズル掛け１６から取り出した給油ノズル１２の油種が選定油種の給油ノズル１２と異なる旨、顧客に案内することができ、顧客が選定油種の給油ノズル１２をノズル掛け１６から取り出すまで、監視画面６０の監視ウィンドウ６１上の給油作業条件確認ウィンドウ６４で確認することができる。
【００６５】
給油所管理者は、顧客が選定油種の給油ノズル１２をノズル掛け１６から取り出したならば、監視画面６０のタスクキー６２として「許可」キー６２１が表示されるので、この「許可」キー６２１を操作して、該当する給油装置１０の設定油種に対応する給油系統を用いた顧客による給油作業を許可することができる。
【００６６】
本実施形態の給油システムの場合、給油管理機５０は、給油所管理者が監視画面６０の「許可」キー６２１を操作したのを検出すると（ステップＳ５０７）、給油作業条件の選定油種自体が誤りである可能性を判断するため、給油端末機３０が図２のステップＳ３０７で行ったと同様な選定油種確認処理を行う（ステップＳ５０８）。なお、ここでは、この選定油種確認処理を給油管理機５０が実行するに当たり、その内部のＲＯＭには、車種別適合油種一覧３９として、「普通車」，「軽自動車」，「バイク」，「トラック等」といった各車輌種別に対応させて油種選定誤りの可能性が低い適合油種が、図６に示したように記憶されているものとする。
【００６７】
したがって、図１１のステップＳ５０８に示した選定油種確認処理では、給油管理機５０は、図１２に示す給油作業条件確認ウィンドウ６４の選定油種表示欄６４３に表示した選定油種が、同じく給油作業条件確認ウィンドウ６４の車輌種別表示欄６４２に表示した車輌種別に該当する車種別適合油種一覧３９の適合油種（給油許可油種）と一致するか否かに基づいて、顧客による選定油種が給油対象車輌の規定油種に適合しているか否かを判別する。
【００６８】
なお、車種別適合油種一覧３９として不適合油種（給油禁止油種）が記憶されている場合は、給油作業条件確認ウィンドウ６４の選定油種表示欄６４３に表示した選定油種が、同じく給油作業条件確認ウィンドウ６４の車輌種別表示欄６４２に表示した車輌種別に該当する車種別適合油種一覧３９の不適合油種（給油禁止油種）と一致するか否かに基づいて、顧客による選定油種が給油対象車輌の適合油種に適合しているか否かを判別する。
【００６９】
そして、給油管理機５０は、ステップＳ５０８に示した選定油種確認処理の結果に基づいて（ステップＳ５０９）、選定種種が給油対象車輌の適合油種に一致している場合は、先のステップＳ５０７で検出した給油所管理者の「許可」キー６２１の操作に基づいて、該当する給油装置１０又は該当する給油装置１０の選定油種の給油系統に対して、その送液手段１５等の起動を許可するための駆動許可命令を信号ライン３を介して送信する（ステップＳ５１４）。
【００７０】
これに対して、例えば、顧客が、給油端末機３０により、図４に示す車種選択画面４２で「軽自動車」キー４２２を操作して、図５に示す油種選択画面４３で「軽油」キー４３３を操作した後、さらに図７に示す選定油種確認注意画面４４で選定油種が適合油種に誤りないことの確認結果の「はい」キー４４１を操作し、図８に示す入金画面４５で「確認」キー４５４を操作した状況で、給油所内通信ネットワーク３を介して送信されてきた給油作業開始情報を受信している場合であっても、図１２のステップＳ５０８に示した選定油種確認処理の結果に基づいて（ステップＳ５０９）、選定種種（軽油）が給油対象車輌の車輌種別（軽自動車）の適合油種（レギュラーガソリン）に一致していない場合は、給油管理機５０は、該当する給油エリア２の監視ウィンドウ６１上の給油作業条件確認ウィンドウ６４に、さらに給油許可確認注意ウィンドウ６５をポップアップ表示する（ステップＳ５１０）。
【００７１】
図１３は、給油許可確認注意ウィンドウの一実施例を示したものである。
図示の例では、給油許可確認注意ウィンドウ６５には、給油作業条件の給油対象車輌の車輌種別（例えば、軽自動車）に給油作業条件の選定油種（例えば、軽油）が適合油種（レギュラーガソリン）ではないことを示す確認注意メッセージが含まれている。また、給油許可確認注意ウィンドウ６５には、給油所管理者が顧客の選定油種に誤りがないことを確認した上で、顧客による給油作業を続行させるときに操作するタスクキー６２の「許可」キー６２１，顧客による給油作業を中止させる場合に操作するタスクキー６２の「キャンセル」キー６２２それぞれの操作案内メッセージも含まれている。
【００７２】
これにより、給油所管理者は、給油作業条件確認ウィンドウ６４に給油許可確認注意ウィンドウ６５がポップアップ表示された場合は、例えば、インターホン５４，３６を用いて、給油エリア２の顧客に選定油種に誤りがあるか否かを確認させることができる。
【００７３】
その上で、給油所管理者は、顧客が給油端末機３０を操作して給油作業条件を入力した該当給油エリア２での給油装置１０を用いた給油作業を、「許可」キー６２１を操作して許可したり、「キャンセル」キー６２２を操作して取り消したりすることができる。
【００７４】
給油管理機５０は、給油作業条件確認ウィンドウ６４に給油許可確認注意ウィンドウ６５がポップアップ表示され状態で、監視画面６０上での「許可」キー６２１の操作を再び検知すると（ステップＳ５１２）、該当する給油装置１０又は該当する給油装置１０の選定油種の給油系統に対して、その送液手段１５等の起動を許可するための駆動許可命令を信号ライン３を介して送信する（ステップＳ５１４）。
【００７５】
一方、給油管理機５０は、監視画面６０上での「キャンセル」キー６２２の操作を検知すると（ステップＳ５１１）、該当する給油装置１０又は該当する給油装置１０の選定油種の給油系統に対して、その送液手段１５等の起動を許可せず給油作業を終了させるための駆動禁止命令を信号ライン３を介して送信する（ステップＳ５１４）。
【００７６】
これにより、給油管理機５０から駆動禁止命令を受信した給油装置１０の給油装置制御装置１８は、その画面設定器３１に、給油作業が不許可になったメッセージや、取り出された給油ノズル１２のノズル掛け１６への収納メッセージ等を含む給油終了画面（図示省略）を表示するとおもに、給油端末機３０から受信した給油作業開始情報に含まれていた給油作業条件を破棄し、選定油種の給油系統（例えば、給油系統Ｄ）に関してのみ給油作業開始待ち状態になっている状態から、全ての給油系統Ｇ，Ｐ，Ｄそれぞれ関して各送液手段１５を停止状態に保持する待機状態に戻して、給油端末機３０の端末機制御装置３８に、給油管理機５０からの駆動禁止命令の受信により先に受信した端末機制御装置３８からの給油作業開始情報に基づく給油作業が破棄された旨の給油情報を送信する。
【００７７】
この場合、給油端末機３０の端末機制御装置３８は、給油装置１０の給油装置制御装置１８から先に送信した給油作業開始情報に基づく給油作業が破棄された旨の給油情報を受信すると、画面操作設定器３１の操作表示画面４０には、図１０に示した給油終了画面４７に代えて、図示せぬ給油作業中止画面を表示する。この給油作業中止画面には、給油作業が不許可になったメッセージや、入金額はそのままに給油作業条件の入力から給油作業を再びやり直す「開始」キーや、入金額を全額返金するための給油伝票（精算伝票）を伝票発行機３４に発行させて給油作業を終了させるための給油作業の「中止」キーがＧＵＩ表示される。
【００７８】
また、給油管理機５０は、ステップＳ５１４で給油管理者の確認操作がなされ、該当する給油装置１０又は該当する給油装置１０の選定油種の給油系統に対して、その送液手段１５等の起動を許可するための駆動許可命令を信号ライン３を介して送信すると、顧客による給油装置１０を用いた給油作業の終了を検知するため、給油装置１０からのノズル収納検出情報の受信、及び給油端末機３０からの給油作業終了情報の受信を監視する（ステップＳ５１４）。そして、給油管理機５０は、これらノズル収納検出情報及び給油作業終了情報の受信によって顧客による該当する給油装置１０を用いた給油作業の終了を検出すると、その旨を監視画面６０の該当する監視ウィンドウ６１上に表示して、その後、監視ウィンドウ６１を該当する給油装置１０が待機状態になっていることを示す待機中表示に戻し、該当する給油装置１０を用いた次の顧客による給油作業の開始に備えて、該当する給油エリア２の給油端末機３０からの次の給油作業開始情報の受信待ち（ステップＳ５０１）に戻る。
【００７９】
このような本実施の形態の給油システムに１よれば、セルフサービス方式給油所を利用する顧客は、給油端末機３０を用いて給油装置１０を用いた給油作業の給油作業条件を入力する際に、選定した給油対象車輌の車輌種別と油種との組み合わせを検証し、その選定された油種が誤りで不適合油種である可能性が高い場合には、自動的に注意及び確認を顧客に促すことができるので、誤った油種の選定による誤油種給油を未然に防止することができる。
【００８０】
また、セルフサービス方式給油所の給油所管理者は、給油管理機５０で顧客による給油装置を用いた給油作業を許可する際に、給油管理機５０の監視画面６０には、顧客が入力した給油作業条件に含まれる選定油種と併せて、顧客により選定された給油対象車輌の車輌種別が表示され、さらにその選定油種と選定された車輌種別との組み合わせが不適合である場合には、さらにその注意確認が警報されるので、給油作業の許可判断を正確に行うことができ、誤油種給油の実行を許可してしまう危険性を低減できる。
【００８１】
さらに、顧客により選定された車輌種別と選定油種との組み合わせが誤りの可能性がある場合には、再度、顧客に選定した油種の確認や選定を行わせることもでき、誤油種給油の実行の危険性を低減できるとともに、選定油種の訂正等、その復帰作業も迅速かつ正確に行うことができる。
【００８２】
なお、上述した実施形態の給油システムでは、給油端末機３０及び給油管理機５０それぞれが、顧客が選択した選定油種について、車種別適合油種一覧３９を用いて選定油種確認処理を行う構成としたが、給油端末機３０又は給油管理機５０の中の少なくとも一方が車種別適合油種一覧３９を用いて選定油種確認処理を行う構成であればよい。また、給油所内通信ネットワーク３を介した給油装置１０，給油端末機３０，給油管理機５０の伝送情報は上記説明した実施例に限られるものではなく、具体的には、給油装置１０と給油端末機３０との対応を１つの給油端末機３０で複数の給油装置１０それぞれの給油作業条件を設定する場合等、給油所内通信ネットワーク３の形態に応じて種々の変形例が可能である。
【図面の簡単な説明】
【００８３】
【図１】本発明の一実施の形態に係る給油システムの構成図である。
【図２】図１に示した給油システムに係る給油端末機の給油作業の進行に伴う制御処理を示したフローチャートである。
【図３】給油作業開始待機画面の一実施例を示したものである。
【図４】車種選択画面の一実施例を示したものである。
【図５】油種選択画面の一実施例を示したものである。
【図６】端末機制御装置に内部記憶された車種別適合油種一覧の一実施例を示したものである。
【図７】選定油種確認注意画面の一実施例を示したものである。
【図８】入金画面の一実施例を示したものである。
【図９】給油中画面の一実施例を示したものである。
【図１０】給油終了画面の一実施例を示したものである。
【図１１】本実施の形態の給油システムに係る給油管理機の給油作業の進行に伴う制御処理を示したフローチャートである。
【図１２】給油管理機の画面表示器上に表示される監視画面の一実施例を示したものである。
【図１３】監視画面上に表示される給油許可確認注意ウィンドウの一実施例を示したものである。
【符号の説明】
【００８４】
１  給油システム、  ２  給油エリア、  ３  給油所内通信ネットワーク、
４  給油所事務所、  １０  給油装置、  １１  装置筐体、  １２  給油ノズル、
１３  給油ホース、  １４  計量手段、  １５  送液手段、  １６  ノズル掛け、
１７  ノズルスイッチ、  １８  給油装置制御装置、  １９  給油表示器、
３０  給油端末機、  ３１  画面操作設定器、  ３２  カード情報読取機、
３３  現金入金機、  ３４  伝票発行機、  ３５  音声報知器、
３６  インターホン、  ３７  車輌検知センサ、  ３８  端末機制御装置、
３９  車種別適合油種一覧、  ４０  操作表示画面、  ４１  給油作業開始待機画面、
４２  車種選択画面、  ４３  油種選択画面、  ４４  選定油種確認注意画面、
５０  給油管理機、  ５１  コンピュータ装置、  ５２  画面表示器、
５３  入力操作機器、  ５４  インターホン、  ６０  監視画面、
６１  監視ウィンドウ、  ６２  タスクキー、  ６３  作業状態表示欄、
６４  給油作業条件確認ウィンドウ
【図１】
2010058793.tif 000003
【図２】
2010058793.tif 000004
【図３】
2010058793.tif 000005
【図４】
2010058793.tif 000006
【図５】
2010058793.tif 000007
【図６】
2010058793.tif 000008
【図７】
2010058793.tif 000009
【図８】
2010058793.tif 000010
【図９】
2010058793.tif 000011
【図１０】
2010058793.tif 000012
【図１１】
2010058793.tif 000013
【図１２】
2010058793.tif 000014
【図１３】
2010058793.tif 000015